(57)【要約】  本発明は、ニットウェアを製造する装置および方法であって、編機と粗糸ドラフト兼強化ユニットとを備えており、該粗糸ドラフト兼強化ユニットは、少なくとも１つの粗糸を備えた粗糸供給ユニットと、少なくとも１つの補助糸を備えた補助糸供給ユニットと、粗糸を供給する粗糸供給ユニットおよび補助糸を供給する補助糸供給ユニットに連結されたドラフト装置と、当該装置の粗糸搬送方向においてドラフト装置の下流側に配置されていて繊維強化区間を圧縮空気供給によって形成する紡績ノズル装置と、粗糸搬送方向において紡績ノズル装置の下流側に配置されていて繊維強化区間を画定する、互いに逆向きに回転可能な完成糸ニップローラ対と、を有している装置および方法に関する。粗糸形成のために少なくとも１つの補助糸を使用して、上に述べた形式の装置および方法を用いて、柔らかいニットウェアを、確実に製造できるようにするために、本発明によれば、上に述べた形式の装置において、補助糸供給ユニットとドラフト装置または紡績ノズル装置との間に、互いに逆向きに回転可能で回転数調節可能な少なくとも１つの補助糸ニップローラ対が設けられており、該補助糸ニップローラ対の補助糸ニップローラの間において、補助糸が案内されている、もしくは本発明によれば上に述べた形式の方法において、補助糸を、補助糸供給ユニットとドラフト装置との間において、互いに逆向きに回転する回転数調節可能な少なくとも１つの補助糸ニップローラ対を通して案内する。
2018538452.tif 000002
【特許請求の範囲】
【請求項１】
ニットウェアを製造する装置（１）であって、編機（２）と粗糸ドラフト兼強化ユニット（３）とを備えており、該粗糸ドラフト兼強化ユニット（３）は、少なくとも１つの粗糸（４０ａ）を備えた粗糸供給ユニット（４）と、少なくとも１つの補助糸（５０）を備えた補助糸供給ユニット（５）と、前記粗糸（４０ａ）を供給する前記粗糸供給ユニット（４）および前記補助糸（５０）を供給する前記補助糸供給ユニット（５）に連結されたドラフト装置（６）と、当該装置（１）の粗糸搬送方向（Ａ）において前記ドラフト装置（６）の下流側に配置されていて繊維強化区間（７）を圧縮空気供給によって形成する紡績ノズル装置（７０）と、前記粗糸搬送方向（Ａ）において前記紡績ノズル装置（７０）の下流側に配置されていて前記繊維強化区間（７）を画定する、互いに逆向きに回転可能な完成糸ニップローラ対（７１）と、を有している装置（１）において、
前記補助糸供給ユニット（５）と前記ドラフト装置（６）との間に、互いに逆向きに回転可能で回転数調節可能な少なくとも１つの補助糸ニップローラ対（５１）が設けられており、該補助糸ニップローラ対（５１）の補助糸ニップローラ（５１ａ，５１ｂ）の間において、前記補助糸（５０）は案内されていることを特徴とする、ニットウェアを製造する装置。
【請求項２】
前記補助糸ニップローラ（５１ａ，５１ｂ）のうちの少なくとも１つの補助糸ニップローラの回転数は、制御装置を介して調節可能であり、該制御装置によって、前記ドラフト装置（６）のドラフトローラ（６０ａ，６０ｂ）の回転数も調節可能である、請求項１記載の装置。
【請求項３】
前記補助糸ニップローラ（５１ａ，５１ｂ）は、異形成形された第１の補助糸ニップローラ（５１ａ）と、ゴム引きされた第２の補助糸ニップローラ（５１ｂ）とを含んでいる、請求項１または２記載の装置。
【請求項４】
当該装置（１）の前記粗糸搬送方向において、前記少なくとも１つの補助糸ニップローラ対（５１）の上流側に補助糸綾振り装置（５７）が設けられている、請求項１から３までの少なくともいずれか１項記載の装置。
【請求項５】
補助糸搬送方向（Ｂ）において前記補助糸ニップローラ対（５１）の下流側に、少なくとも１つの光学式の糸センサ（５５）が配設されている、請求項１から４までの少なくともいずれか１項記載の装置。
【請求項６】
前記補助糸供給ユニット（５）は、前記補助糸（５０）を導出する少なくとも１つの開口（８１）を備えた閉鎖されたハウジング（８）を有している、請求項１から５までの少なくともいずれか１項記載の装置。
【請求項７】
ニットウェアを製造する方法であって、粗糸供給ユニット（４）によって少なくとも１つの粗糸（４０ａ）をドラフト装置（６）に供給し、かつ補助糸供給ユニット（５）によって少なくとも１つの補助糸（５０）をドラフト装置（６）に供給し、該ドラフト装置（６）から進出する、前記補助糸（５０）を含むドラフトされた粗糸（４０ｂ）に、繊維強化区間（７）において紡績ノズル装置（７０）によって圧縮空気を供給し、かつこれによって前記粗糸（４０ｂ）を強化し、前記繊維強化区間（７）は、前記補助糸（５０）を含むドラフトされ強化された粗糸（４０ｃ）を挟んで案内する互いに逆向きに回転する完成糸ニップローラ対（７１）によって画定されており、前記完成糸ニップローラ対（７１）から進出する完成糸（４０ｄ）を、編機（２）に供給する、方法において、
前記補助糸（５０）を、前記補助糸供給ユニット（５）と前記ドラフト装置（６）との間において、互いに逆向きに回転する回転数調節可能な少なくとも１つの補助糸ニップローラ対（５１）を通して案内することを特徴とする、ニットウェアを製造する方法。
【請求項８】
前記補助糸ニップローラ対（５１）の補助糸ニップローラ（５１ａ，５１ｂ）の回転数を、前記補助糸ニップローラ対（５１）から進出する前記補助糸（５０）の糸張力が２ｃＮ未満であるように調節する、請求項７記載の方法。
【請求項９】
前記補助糸（５０）を、前記補助糸ニップローラ（５１ａ，５１ｂ）の軸線方向において、綾振りしながら前記補助糸ニップローラ対（５１）に供給する、請求項７または８記載の方法。
【請求項１０】
前記補助糸（５０）の前記糸張力を、前記補助糸ニップローラ対（５１）と前記ドラフト装置（６）との間において光学式に検出する、請求項７から９までの少なくともいずれか１項記載の方法。
【発明の詳細な説明】
【技術分野】
【０００１】
本発明は、一方では、ニットウェアを製造する装置であって、編機と粗糸ドラフト兼強化ユニットとを備えており、該粗糸ドラフト兼強化ユニットは、少なくとも１つの粗糸を備えた粗糸供給ユニットと、少なくとも１つの補助糸を備えた補助糸供給ユニットと、粗糸を供給する粗糸供給ユニットおよび補助糸を供給する補助糸供給ユニットに連結されたドラフト装置と、当該装置の粗糸搬送方向においてドラフト装置の下流側に配置されていて繊維強化区間を圧縮空気供給によって形成する紡績ノズル装置と、粗糸搬送方向において紡績ノズル装置の下流側に配置されていて繊維強化区間を画定する、互いに逆向きに回転可能な完成糸ニップローラ対と、を有している装置に関する。本発明はさらに、ニットウェアを製造する方法であって、粗糸供給ユニットによって少なくとも１つの粗糸をドラフト装置に供給し、かつ補助糸供給ユニットによって少なくとも１つの補助糸をドラフト装置に供給し、該ドラフト装置から進出する、補助糸を含むドラフトされた粗糸に、紡績ノズル装置によって繊維強化区間において圧縮空気を供給し、かつこれによって粗糸を強化し、繊維強化区間は、補助糸を含むドラフトされ強化された粗糸を挟んで案内する互いに逆向きに回転する完成糸ニップローラ対によって画定され、完成糸ニップローラ対から進出する完成糸を、編機に供給する、方法に関する。
【０００２】
特に柔らかい手触りとボリュームとによって傑出するニットウェアを製造できるようにするために、従来技術から種々様々なアプローチが公知である。特に、ニットウェアを製造するために、長時間安定的に強化されかつ糸ボビンにおいて提供可能な汎用の糸を使用するのではなく、その代わりに単に一時的に強化された糸複合体を形成し、この糸複合体を相応のガイド補助手段を用いて編機の編み針に直接供給し、そこでニットウェアを編成するために使用することが提案される。
【０００３】
単に一時的に強化されたこのような糸複合体は、仮撚り糸とも呼ばれる。仮撚り糸は、典型的にはそれ自体が撚られていて、このときしかしながら撚りは、仮撚り糸の両端部を引っ張ると解消される。
【０００４】
このようなニットウェアを製造する装置および方法は、特に印刷物国際公開第２００９／０４３１８７号（WO 2009/043187 A1）において提案されている。この印刷物では、繊維スライバがドラフト系において所望の繊度にドラフトされ、かつドラフト系と編機の編み針との間の区間において、空気力を作用する紡績ノズルによって強化され、そして編機の編み針へと搬送される。紡績ノズルによって、芯を備えた強化を維持された仮撚り糸が、ほぼ撚り合わせのないかつ十分に互いに平行に方向付けられた繊維から形成され、これらの繊維は、互いにオーバラップしかつ交絡された巻付き繊維によって取り囲まれている。巻付き繊維の撚り合わせは、紡績ノズルと編機の編み針との間の搬送区間の長さに関連して、程度の差こそあれ解消することができる。繊維スライバの最終的な強化は、編み針を用いて製造されたニットウェアの内部において初めて行われる。これによってこの場合必然的に、編機の編み針を可能な限り紡績ノズルの近くに位置決めすること、または紡績ノズルと編み針との間における搬送路が比較的長い場合には、紡績ノズルによって適宜に強化された繊維スライバを確実かつ中断なしに搬送するためのガイド管を設けることが必要である。
【０００５】
従来の糸製造を迂回することなしに柔らかい編成品を製造する類似のアプローチは、印刷物独国特許出願公開第１０２００６０３７７１４号明細書（DE 102006037714 A1）に記載されている。この印刷物では、ドラフト装置においてドラフトされた繊維スライバが形成され、１つまたは複数の加撚装置および少なくとも１つのアクティブな搬送エレメントを介して編機の編み針に供給される。加撚装置としては、空気力を作用する各１つの加撚ノズルを備えた紡績管が提案され、加撚ノズルによって、ドラフトされた繊維スライバに仮撚りが与えられ、この仮撚りは、編成箇所において再び解消される。アクティブな搬送エレメントとしては、１つのローラ対から成る供給装置を使用することができる。
【０００６】
このようなドラフトされかつ単に一時的に強化された粗糸を用いた、ニットウェアの製造時における問題点としては次のことがある。すなわちこの場合粗糸の強化が、特に加撚または紡績ノズル装置と編機の編み針との間における搬送路が比較的長い場合に、解消されることがあり、これによって製造プロセスが不所望に中断されてしまう。
【０００７】
柔らかい編成品を製造する他のアプローチが、印刷物国際公開第２００９／０５９４３８号（WO 2009/059438 A1）に記載されている。この印刷物は、個別繊維を所望の繊度の搬送可能な糸に処理するために、粗糸を個別繊維に開繊する開繊装置と摩擦紡績ドラムとして形成された摩擦紡績装置とを備えた粗糸準備装置の使用を提案している。摩擦紡績ドラムにおいて粗糸の個別繊維は、搬送可能な本当の糸に撚り合わせられ、この糸は、引出しローラ対から捕捉ノズルに搬送され、かつさらに、編成品を編む編み針へと搬送される。摩擦紡績ドラムの長さの延長部に、形成された糸を引き込むことによって、方向変化に起因する糸切れが回避される。
【０００８】
印刷物独国特許発明第１０２０１１０５３３９６号明細書（DE 102011053396 B3）にはさらに、編機に供給される、ドラフトされ強化された粗糸の強度を高めるために、冒頭に述べた形式の装置および冒頭に述べた形式の方法が提案されており、これらの装置および方法では、ドラフト装置における粗糸のドラフト時に粗糸に補助糸もしくは芯糸が供給され、これによって高強度のいわゆる芯・周囲糸が形成される。供給ボビンに装着された補助糸は、ドラフト装置の出口ローラ対によって収容され、予備ドラフトされた粗糸内に組み込まれる。独国特許発明第１０２０１１０５３３９６号明細書においては、補助糸がドラフト装置に管を通して供給され、これによってドラフト装置への補助糸の歪みのない、ひいては損傷のない供給を可能にすることができる。
【０００９】
均一なニットウェアを製造するためには、ドラフトされ強化された粗糸のみならず、使用される補助糸を一定の糸張力で製造プロセスに供給することも必要である。粗糸の糸張力は、ドラフト装置ローラの回転速度および加撚または紡績ノズルにおける空気圧によって良好に調節することができる。補助糸もしくは芯糸を一定の糸張力でドラフト装置に供給できるようにするために、従来技術では、供給調整装置（Fournisseur）として形成された糸供給装置が補助糸供給部において使用される。供給調整装置は、典型的には、供給ボビンから到来する糸を巻き取ることができる糸巻取りドラムを有している。このとき糸は、糸巻取りドラムにおいて本来の糸搬送方向に対して横方向に巻き取られる。供給調整装置は、制御装置によって電気的に作動させられ、その結果、制御装置を用いた供給調整装置の相応の回転によって、必要に応じて、余剰糸を巻き取ること、または供給調整装置に貯えられたストック糸を、編成箇所への糸材料の供給のために繰り出すことができる。
【００１０】
しかしながら供給調整装置は、その機能形式に基づいて、供給調整装置によって供給された糸が常に、確定されたかなりの張力下にあるという欠点を有している。これに対して例えば独国特許発明第１０２０１１０５３３９６号明細書に記載された、ドラフトされた粗糸内への補助糸の組込みは、しかしながら、ドラフト装置に供給された補助糸が、供給調整装置によってまったくまたは持続的には実現され得ない小さな糸張力しか有していない場合にしか、確実に機能しない。
【００１１】
ゆえに本発明の課題は、冒頭に述べた形式の装置および方法を改良して、柔らかいニットウェアを、粗糸形成のために少なくとも１つの補助糸を使用して、確実に製造することができるようにすることである。
【００１２】
この課題は、本発明によれば一方では、上に述べた形式の装置において、補助糸供給ユニットとドラフト装置との間に、互いに逆向きに回転可能で回転数調節可能な補助糸ニップローラ対が設けられており、該補助糸ニップローラ対の補助糸ニップローラの間において、補助糸が案内されている構成によって解決される。
【００１３】
補助糸ニップローラ対は、補助糸供給ユニットから供給された少なくとも１つの補助糸のための、該補助糸を挟む通過部を形成している。補助糸供給ユニットとドラフト装置との間に回転数調節可能な補助糸ニップローラ対を設けることによって、特に、完成糸の強度を高めるため、および本発明に係る装置において実施されるプロセスの故障防止性を高めるために役立つ補助糸を、種々異なった張力でドラフト装置に供給し、かつドラフトされた粗糸に組み込むことができる。補助糸ニップローラの間における回転数もしくは回転数差の調節可能性によって、補助糸の糸張力は、公知の供給調整装置によって調節可能である糸張力に比べて極めて小さく調節することができる。このことには、補助糸ニップローラ対を通過してドラフト装置に供給される補助糸が、ぴんと張った状態の張力を有しておらず、僅かに横揺れするまたはぶらぶらするという利点がある。驚いたことに、補助糸がぶらぶらすることによって、粗糸の繊維は、ドラフト装置の下流側に配置された紡績ノズル装置内において、特に良好に溜まることになる。このとき補助糸の張力が、粗糸のどれだけ多くの繊維が補助糸の周りに巻き付けられるかに決定的な影響を及ぼすということが判明した。相応に、本発明に係る装置においては、補助糸ニップローラ対の補助糸ニップローラの回転速度の調整によって、ひいては、紡績ノズル装置に供給される際の補助糸の張力に調節によって、糸の柔軟性、ひいては製造されたニットウェアの柔らかい手触りに対して、決定的な影響を及ぼすことができる。紡績ノズル装置の通過時における補助糸の張力、ひいては粗糸との補助糸の本来の結合時における補助糸の張力が大きければ大きいほど、粗糸の繊維は補助糸に僅かしか巻き付くことができず、形成された糸、ひいてはこのような糸から製造されたニットウェアもまた硬くなる。相応に、補助糸を、可能な限り低い糸張力で、ドラフト装置においてドラフトされた粗糸に供給することが望ましい。
【００１４】
供給調整装置とは異なり、補助糸は補助糸ニップローラの間におけるニップ箇所を通過し、補助糸ニップローラには巻き付けられない。補助糸ニップローラの回転軸線は、補助糸搬送方向に対して垂直に方向付けられている。これによって補助糸は単に挟まれるだけであり、このときニップ力は、補助糸ニップローラの回転数によって繊細に調節可能である。
【００１５】
補助糸ニップローラ対を介した補助糸の搬送は、次のような利点を提供する。すなわちこの場合、補助糸は変わらない糸張力でドラフト装置に供給することができ、このことは、補助糸によって補強された、ドラフトされ強化された粗糸の形成の均一化に対して、ひいてはこのような粗糸から形成される編成品の形成の均一化に対してポジティブな影響を及ぼす。
【００１６】
補助糸ニップローラ対は、本発明によれば、互いに圧着されたまたは圧着可能な２つの補助糸ニップローラを有しており、両方の補助糸ニップローラの大きさ、寸法、形状および特性は、使用例に応じて選択することができる。本発明に係る装置では、一方の補助糸ニップローラが駆動されても、または両方の補助糸ニップローラが駆動されてもよい。一方の補助糸ニップローラだけが駆動可能である場合には、駆動されない補助糸ニップローラの回転は、この駆動されない補助糸ニップローラを、駆動される補助糸ニップローラに圧着させることによって得られる。両方の補助糸ニップローラが駆動可能である場合には、両方の補助糸ニップローラは、互いに無関係に駆動されてもよいし、または連結されたまたは連結可能な駆動装置を有することも可能である。
【００１７】
補助糸ニップローラは、互いに持続的に圧着されていてよい。しかしながらまた、補助糸ニップローラが持続的に接触しておらず、互いに間隔をおいた位置に移動可能であるような構成も可能であり、このようになっていると、補助糸ニップローラの間への補助糸の挿入が容易になり、かつ補助糸ニップローラ対における修理および保守作業が容易になる。
【００１８】
補助糸ニップローラが本発明に係る装置において、補助糸ニップローラまたは少なくともそのローラ表面が交換可能であるようになっていると、好適であるということも判明している。このとき補助糸ニップローラは、同一構造の補助糸ニップローラと交換されてもよいし、または他の寸法および／または他の特性を備えた補助糸ニップローラと交換されてもよい。これによって補助糸ニップローラを、例えば、補助糸の使用される材料に最適に適合させることができ、かつ／または補助糸ニップローラを摩耗時または損傷時に迅速かつ簡単に、新しい補助糸ニップローラと交換することができる。
【００１９】
補助糸をまた、長い区間にわたっても丁寧に、所望の量においてかつ所望の張力で粗糸に供給できるようにするために、本発明に係る装置は、補助糸の搬送方向において相前後して配置されていて互いに間隔をおいて位置する複数の補助糸ニップローラ対を有することも可能である。このとき個々の補助糸ニップローラ対の数、構成および配置形式は、使用例に応じて選択することができる。
【００２０】
本発明に係る装置では、基本的に、補助糸を粗糸に、ドラフト装置の通過前に、ドラフト過程中に、またはドラフト過程の終了直後に、つまりドラフト装置と紡績ノズル装置の間において供給することが可能である。
【００２１】
ドラフト装置が、粗糸の搬送方向において相前後して配置された個々のローラ対から形成されていて、これらのローラ対が好ましくは搬送方向において上昇する速度で作動させられる場合には、補助糸は、互いに連続するローラ対の間において、好ましくはドラフト装置の出口ローラ対の１つ前のローラ対と出口ローラ対との間において、粗糸に供給することができる。このようにすると、粗糸を、出口ローラ対によって最適に収容し、かつ粗糸と一緒に、紡績ノズル装置の方向に搬送することができ、好適である。さらに補助糸ニップローラ対の回転速度は、出口ローラ対の回転速度に最適に適合させることができる。ドラフト装置の背側から到来する補助糸が、ドラフト装置の出口ニップローラ対から接線方向に引き出されると、特に好適であることが判明している。補助糸を主ドラフト中に初めて供給することによって、補助糸は、ドラフト装置におけるただ１つのニップポイントだけしか通過せず、これによって歪みなしにかつ損傷なしに粗糸内に組み込まれることができる。
【００２２】
本発明では、補助糸は、好ましくはボビンクリールである補助糸供給ユニットの供給ボビンから供給される。補助糸が供給される補助糸ニップローラ対は、好ましくはドラフト装置の近くに設けられているが、しかしながらまた、ドラフト装置と補助糸供給ユニットとの間における他の任意の如何なる箇所に配置されていてもよい。
【００２３】
補助糸は、非弾性糸であっても、または弾性糸であってもよく、このとき補助糸の弾性に関連して、少なくとも１つの補助糸ニップローラ対の配置形式および／または数および／または大きさを変化させることができる。
【００２４】
ドラフト装置によってドラフトすべき粗糸は、強化されていない繊維スライバの形態で、好ましくはいわゆるフライヤボビンに設けられており、かつこのフライヤボビンからドラフト装置によって引き出される。ドラフト装置における粗糸のドラフトおよび補助糸の供給後に、ドラフトされた粗糸は、粗糸搬送方向においてドラフト装置の下流側に配置された紡績ノズル装置によって、ドラフトされ強化された粗糸へと強化され、かつ補助糸に結合される。このとき補助糸は、好ましくは、ドラフトされ強化された粗糸内にほぼ中心において組み込まれているが、しかしながらドラフトされ強化された粗糸の縁部領域に位置していてもよい。
【００２５】
このとき、紡績ノズル装置が、粗糸搬送方向において相前後して配置されていて互いに逆向きの回転方向を備えた、空気力式に作動する２つの紡績ノズルを有するように、本発明に係る装置を形成すると、特に好適である。このとき好ましくは、紡績ノズル装置は、２つの空気渦動ノズルから成っており、両方の空気渦動ノズルによって生ぜしめられた空気流は、互いに逆向きの回転方向を有している。搬送方向において第２の紡績ノズルとして配置された紡績ノズルは、好ましくは加撚ノズル（Drallduese）であり、この加撚ノズルは、補助糸を含む供給された繊維材料から、いわゆる仮撚り糸を形成する。加撚ノズルの上流側に配置された紡績ノズル、つまりインジェクタノズルは、互いに逆向きの回転方向に基づいて、繊維材料を回転させて解し、これによって縁部繊維は開繊し、そしてこれらの縁部繊維は再び、加撚ノズルの回転発生によって繊維芯および補助糸の周りに巻き付けられる。
【００２６】
本発明によれば、紡績ノズルから流出する空気の回転強度および／または圧力は、互いに無関係に調節可能であり、これによって、補助糸が組み込まれたドラフトされ強化された粗糸の特性に、最適な影響を及ぼすことができ、かつ紡績ノズルの紡績速度を、粗糸ドラフト兼強化ユニットの下流側に配置された編機の編成速度に適合させることができる。
【００２７】
補助糸が組み込まれている、ドラフトされ強化された粗糸の強度を、さらに高めるため、および補助糸が組み込まれたドラフトされ強化された粗糸が、編機への搬送中に解撚することを阻止するために、本発明に係る装置は、粗糸搬送方向において紡績ノズル装置の下流側に配置された、繊維強化区間を画定する、互いに逆向きに回転可能な完成糸ニップローラ対を有している。この完成糸ニップローラ対は、紡績ノズル装置から進出する、補助糸を備えたドラフトされ強化された粗糸のための、該粗糸を挟む通過部を形成する。完成糸ニップローラ対に後続して、完成糸ニップローラ対から進出する、補助糸を備えたドラフトされ強化された粗糸のための、編機への供給部が設けられている。
【００２８】
完成糸ニップローラ対は、補助糸を備えたドラフトされ強化された粗糸のためのニップポイントを形成しており、このニップポイントは、紡績ノズル装置の繊維強化区間を画定する。完成糸ニップローラ対は、このとき本発明に係る装置において紡績ノズル装置に対して比較的小さな間隔をおいて配置されていてよく、これに対して編機の編み針に対する完成糸ニップローラ対の間隔は、比較的大きな間隔を、ひいては実地において好適な値を有することができる。
【００２９】
完成糸ニップローラ対によって、編機への糸供給の技術的な系から、粗糸ドラフトおよび粗糸強化の技術的な系の速度を連結遮断することが可能であり、このとき完成糸ニップローラ対によって形成されたニップポイントは、上流側に配置された紡績ノズル装置によって実現された仮撚り形成部をロックする。すなわち完成糸ニップローラ対は、紡績ノズル装置によって生ぜしめられた回転の終端部を、ひいては仮撚りの終端部を決定しており、これによって完成糸ニップローラ対から進出するドラフトされ強化された、補助糸を有する粗糸は、その強度を維持し、完成糸の解撚を阻止することができる。相応に完成糸の搬送路を、比較的長い区間にわたって実現することができる。
【００３０】
完成糸ニップローラ対の構成は、使用例に応じて行うことができる。しかしながら、両方の完成糸ニップローラのうちの少なくとも一方が駆動されていて、このとき第２の完成糸ニップローラが、別体の駆動装置を有しておらず、かつ駆動される完成糸ニップローラへの圧着によって回転させられると、特に好適であるということが判明している。
【００３１】
本発明に係る装置の特に好適な実施形態では、補助糸ニップローラのうちの少なくとも１つの補助糸ニップローラの回転数は、制御装置を介して調節可能であり、該制御装置によって、ドラフト装置のドラフトローラの回転数も調節可能である。１つの共通の制御装置は、本発明に係る装置による粗糸と補助糸との互いに同調された連続した搬送を可能にし、ひいては完成糸の変わらない製品品質を保証する。さらにこのような制御装置によって、本発明に係る装置のプログラミング兼制御コストも低減され、これによって装置のコストを安価に保つことができる。
【００３２】
本発明に係る装置では、両方の補助糸ニップローラのうちの少なくとも１つが駆動可能であり、このとき少なくとも１つの補助糸ニップローラの回転数は、制御装置によってプロセス条件に相応して調整されかつ制御することができる。このとき補助糸ニップローラ対の第２の補助糸ニップローラは、好ましくは駆動される補助糸ニップローラへの圧着によって駆動されるが、しかしながらまた本発明の択一的な実施形態では、少なくとも１つの別の補助糸ニップローラおよびドラフトローラをも駆動する制御装置によって駆動することも可能である。
【００３３】
本発明の別の実施形態では、補助糸ニップローラ対およびドラフトローラの他に、さらに完成糸ニップローラ対の少なくとも１つのローラをも、制御装置によって回転数調整して作動させることができ、これによって本発明に係る装置の運転コストおよび本発明に係る装置のコストをさらに低減することができる。
【００３４】
本発明に係る装置の別の好適な変化形態では、補助糸ニップローラは、異形成形された第１の補助糸ニップローラと、ゴム引きされた第２の補助糸ニップローラとを含んでおり、このように構成されていると、補助糸が補助糸ニップローラ対から滑り出すことまたは補助糸ニップローラの間において引っ掛かることもしくは停滞することなしに、補助糸を確実に搬送することができる。
【００３５】
特に好ましくは、装置の粗糸搬送方向において、少なくとも１つの補助糸ニップローラ対の上流側に補助糸綾振り装置が設けられており、この補助糸綾振り装置によって、補助糸ニップローラの間において時間的に変化する糸走路を実現することができる。本発明に係る装置の部材、特に補助糸ニップローラも、粗糸加工時における高い製造速度に基づいて大きな負荷にさらされるので、このような補助糸綾振り装置によって装置の効率を高めることができる。このとき補助糸綾振り装置によって、補助糸が補助糸ニップローラの常に等しい接触面と接触しないようにすることができる。これによって使用される補助糸ニップローラの収縮（Einlaufen）を阻止することができる。好ましくはそのために、補助糸の確実な案内を保証することを目的として、確定された綾振り路が設けられている。綾振り路は、特に、補助糸ニップローラの軸方向長さに関連して選択および調節することが望ましい。
【００３６】
ドラフト装置に補助糸も供給されること、およびこのとき補助糸の、補助糸ニップローラ対によって調節される糸張力があまりに大きくならないことを保証できるようにするために、本発明に係る装置の好適な構成では、補助糸搬送方向において補助糸ニップローラ対の下流側に、補助糸を光学式に検出することができる少なくとも１つの光学式の糸センサが配置されている。
【００３７】
本発明の好適な実施形態では、補助糸供給ユニットは、補助糸を導出する開口を備えた閉鎖されたハウジングを有している。このハウジングは、特に補助糸、補助糸を有するボビン、および補助糸供給ユニットの、補助糸搬送のために必要なエレメントを、特にドラフト装置および紡績ノズル装置における粗糸の加工によって生じるフライに対して保護する。これによってハウジングは、摩擦のないプロセス実行を保証する。ハウジングの構造的な構成および材料選択は、使用例に応じて選択することができる。
【００３８】
本発明の課題は、さらに上に述べた形式の方法において、補助糸を、補助糸供給ユニットとドラフト装置との間において、互いに逆向きに回転する回転数調節可能な少なくとも１つの補助糸ニップローラ対を通して案内することによって解決される。
【００３９】
本発明に係る方法は、粗糸内への少なくとも１つの補助糸の特に好適な組込みを可能にし、これによって、一方では極めて柔らかい手触りを有する編成品を形成するために働き、かつ他方ではそれ自体極めて安定的である完成糸を、形成することができる。
【００４０】
本発明に係る方法では、完成糸の強度を高める補助糸は、互いに逆向きに回転する回転数調節可能な少なくとも１つの補助糸ニップローラ対の間において、ドラフト装置の方向に案内される。特に、補助糸ニップローラのうちの少なくとも１つの補助糸ニップローラの回転数を調節することによって、補助糸が粗糸に搬送される、補助糸の速度および張力を制御することができ、これによって完成糸の特性およびプロセス条件に影響を及ぼすことができる。さらに、補助糸ニップローラ対を用いて補助糸供給ユニットからドラフト装置に補助糸を搬送することによって、補助糸をドラフト装置に、必要に応じてかつ変わらない糸張力で供給することができ、これによって変わらない品質を備えた処理された粗糸が形成され、このことはさらに、編機における均一に良好な編成結果を生ぜしめる。使用される補助糸ニップローラ対によって、特に、ドラフト装置に供給される補助糸の比較的低い糸張力を生ぜしめることができ、このことは、供給調整装置の使用時には、本発明に係る寸法において不可能である。例えば重力または極めて大きな張力に基づく補助糸の裂断もまた、使用される補助糸ニップローラ対によって回避することができる。
【００４１】
つまり補助糸ニップローラ対は、ドラフト装置への補助糸供給軸線を形成し、この補助糸供給軸線を介して、供給される補助糸もしくは芯糸の張力が調節される。従ってまた補助糸の糸張力は、補助糸ニップローラの適宜な回転数調節によって可能な限り小さく調節されるので、補助糸はドラフト装置への供給時に延伸せず、かつ粗糸の、補助糸の周りに接触する繊維が、後で補助糸の「緩和」時に浮き上がることはない。
【００４２】
このとき、補助糸を、極めて長い搬送路の場合に複数の補助糸ニップローラ対によって案内することが可能であり、このようにすると、補助糸の張力をより良好に調整すること、および搬送中における補助糸の裂断を阻止することができる。
【００４３】
本発明によれば、補助糸は例えば補助糸供給ユニットの１つのボビンから引き出され、ドラフト装置においてドラフトされた粗糸に供給される。このとき補助糸は、ドラフトプロセスの開始前に、ドラフトプロセス中に、またはドラフトプロセスの直後に粗糸に供給することができる。特に、補助糸が粗糸に、ドラフトプロセスの終了時に初めて供給される場合には、補助糸を所望の張力で、ドラフトプロセスに後続する紡績プロセスに供給することを保証することができる。特に、補助糸が紡績プロセスを通過する際の張力によって、完成糸の品質および柔軟性に大きな影響を及ぼすことができる。それというのは、補助糸張力によって、粗糸のどれだけ多くの繊維が補助糸に巻き付き、かつ粗糸の繊維がどのように補助糸において保持されるかが確定されるからである。補助糸は紡績プロセスの通過時に、柔らかい完成糸を形成するためには、可能な限り小さな糸張力を有することが望ましい。
【００４４】
本発明に係る方法の特に好適な構成では、紡績ノズル装置の、補助糸を備えた粗糸を強化する２つの紡績ノズルは、空気力式に作動し、かつドラフト装置から進出するドラフトされた粗糸に、圧縮空気をそれぞれ互いに逆向きの回転方向で供給する。ドラフトされ強化された粗糸の張力状態は、紡績ノズル装置と、粗糸搬送方向において下流側に配置された完成糸ニップローラ対との間の領域において、紡績ノズル装置の紡績ノズルから流出する圧縮空気の回転強度および／または圧力の調節によって調節される。ニップローラ対から進出する、補助糸を含むドラフトされ強化された完成糸の品質および特に強度は、これにより最適に調節することができ、これによって摩擦のないプロセス実行を保証し、かつ高品質のニットウェアを編機において製造することができる。
【００４５】
本発明によれば、紡績ノズル装置による強化プロセスの下流側で完成糸のニップが行われ、このニップ時に、互いに逆向きに回転する完成糸ニップローラ対によって、補助糸を含むドラフトされ強化された粗糸が、挟まれて案内され、かつ完成糸ニップローラ対から進出する完成糸は、編機に供給される。紡績ノズル装置から進出する、補助糸を含む粗糸を、完成糸ニップローラ対によって挟むことによって、紡績ノズル装置によって生ぜしめられる仮撚り形成が終了させられ、これによって完成糸が後で回転して解れることを阻止することができる。相応に完成糸は、編機の編み針に到るまでの長い区間にわたっても、変わらない品質で搬送されることができる。
【００４６】
編機の編み針への完成糸の容易な搬送を保証するために、両方の完成糸ニップローラのうちの少なくとも１つの完成糸ニップローラを駆動すると、特に好適であることが判明している。このとき、駆動されない他方の完成糸ニップローラは、駆動されるニップローラへの圧着によって回転させられる。しかしながらまた択一的な変化形態では、両方の完成糸ニップローラが駆動されてもよく、このとき両方の完成糸ニップローラは、互いに無関係に駆動されるか、または互いに連結されて駆動される。
【００４７】
補助糸ニップローラ対の補助糸ニップローラの回転数を、補助糸ニップローラ対から進出する補助糸の糸張力が２ｃＮ未満であるように調節するように、本発明に係る方法を構成すると特に好適である。補助糸に粗糸の繊維を巻き付ける紡績ノズル装置に、補助糸が、このような小さな張力で供給されると、特に多くの繊維を補助糸に巻き付けることができ、これによって極めて柔らかい完成糸、ひいては手触りが極めて柔らかいニットウェアを編機において製造することができる。
【００４８】
本発明に係る方法の択一的な変化形態では、もちろん、補助糸ニップローラ対からの補助糸の進出時に２ｃＮよりも大きな糸張力を実現することも可能であるが、このときしかしながら、２ｃＮ未満の糸張力が用いられる場合に比べて、粗糸の著しく僅かな繊維しか補助糸に巻き付かないので、上に述べたような柔らかい糸を形成することはもはや不可能である。好ましくは、補助糸は２ｃＮ未満の糸張力で、好ましくは１ｃＮ未満の糸張力で、かつ特に好ましくは０.５ｃＮ未満の糸張力で、ドラフト装置に供給される。
【００４９】
本発明に係る方法の特に適宜な変化形態では、補助糸を、補助糸ニップローラの軸線方向において、綾振りしながら補助糸ニップローラ対に供給する。このようにすると、補助糸と補助糸ニップローラとの間において、大きな負荷を受けながら常に生じる接触に基づいて、補助糸ニップローラが収縮することを回避することができる。このとき特に好ましくは、補助糸は、補助糸ニップローラの全軸方向長さにわたって、しかしながら単に、補助糸ニップローラにわたる補助糸の保証された移動が実現され得るような大きさで、綾振り可能である。
【００５０】
さらに補助糸張力を、補助糸ニップローラ対とドラフト装置との間において光学式に検出することが、可能な限り小さな糸張力でかつ確実に補助糸を供給するために好適であることが判明している。
【００５１】
次に図面を参照しながら、本発明の好適な実施形態、本発明の構成、機能および利点について詳説する。
【図面の簡単な説明】
【００５２】
【図１】本発明に係る装置の１実施形態を概略的に示す側面図である。
【図２】本発明に係る装置の１実施形態の補助糸ニップローラ対を概略的に示す側面図である。
【図３】図２に示した補助糸ニップローラ対を概略的に示す正面図である。
【００５３】
図１には、本発明に係る装置１の１実施形態が概略的に側面図で示されている。図示の装置は、補助糸供給装置以外は、印刷物独国特許発明第１０２０１１０５３３９６号明細書（DE 102011053396 B3）に記載された装置に相当しているので、当該明細書の内容が全面的に参照される。
【００５４】
装置１は、粗糸４０ａを処理して完成糸（Endfaden）４０ｄを形成する粗糸ドラフト兼強化ユニット３を有している。粗糸ドラフト兼強化ユニット３は、編機２において完成糸４０ｄからニットウェアを形成するために編機２に連結されている。完成「糸」という記載にもかかわらず、付言しておくと、完成糸４０ｄは、従来の糸ではなく、少なくとも１つの補助糸５０を含む、ドラフトされ、一時的に強化された粗糸であり、この粗糸については、以下において詳しく記載する。
【００５５】
粗糸ドラフト兼強化ユニット３は、少なくとも１つの粗糸４０ａを備えた粗糸供給ユニット４と、少なくとも１つの補助糸５０を備えた補助糸供給ユニット５とを有している。
【００５６】
粗糸供給ユニット４は、粗糸ドラフト兼強化ユニット３に、強化されていない粗糸４０ａを提供し、この粗糸４０ａは、粗糸供給ユニット４によって取り囲まれたフライヤボビン９に設けられている。図１が示すように、粗糸４０ａは、好ましくは搬送軸１０を介して、粗糸搬送方向Ａにおいて粗糸ドラフト兼強化ユニット３に供給される。本発明に係る装置１の択一的な変化形態では、粗糸４０ａは、粗糸ドラフト兼強化ユニット３と粗糸供給ユニット４との間に位置する複数の搬送軸１０を用いて、またはこのような搬送軸１０なしに、粗糸ドラフト兼強化ユニット３に供給することができる。
【００５７】
粗糸ドラフト兼強化ユニット３はさらに、ドラフト装置６と、粗糸搬送方向Ａにおいてドラフト装置６の下流側に配置された紡績ノズル装置７０とを有している。図１に示されたドラフト装置６は、粗糸４０ａの粗糸搬送方向Ａにおいて相前後して配置されたドラフトローラ対６０１，６０２，６０３を、特に入口ローラ対６０１、中間ローラ対６０２および出口ローラ対６０３を有している。本発明に係る装置１の別の実施形態では、ドラフト装置６もまた、複数の中間ローラ対６０２を含んでいても、またはまったく中間ローラ対６０２を含まなくてもよい。
【００５８】
粗糸４０ａをドラフトするため、ひいては均一化するために、粗糸４０ａは、個々のドラフトローラ対６０１，６０２，６０３のドラフトローラ６０ａと６０ｂとの間を通過させられる。ドラフトローラ対６０１，６０２，６０３を粗糸搬送方向Ａにおいて高まる異なった速度で駆動することによって、ドラフトされた粗糸４０ｂへの粗糸４０ａのドラフトが得られる。このときドラフトローラ対６０１，６０２，６０３は、出口ローラ対６０３が中間ローラ対６０２よりも高い速度を有しかつ中間ローラ対６０２が入口ローラ対６０１よりも高い速度を有するような速度で作動させられる。このようにすると、入口ローラ対６０１と中間ローラ対６０２との間において予備ドラフトが行われ、これに対して中間ローラ対６０２と出口ローラ対６０３との間において、次いで粗糸４０ａの主ドラフトが実現される。
【００５９】
粗糸４０ａをドラフトするために、粗糸４０ａはドラフトローラ対６０１，６０２，６０３のドラフトローラの間において挟まれて搬送されねばならない。このことは、好ましくは、各１つの駆動されないドラフトローラもしくは上側ローラ６０ｂを、駆動されるドラフトローラもしくは下側ローラ６０ａに圧着することによって行われる。上側ローラ６０ｂを下側ローラ６０ａに圧着するために、上側ローラ６０ｂは、Ｌ字形のドラフトユニット押圧アーム６１に結合されている。相応に、駆動されないドラフトローラ６０ｂは、簡単な形式で一緒にドラフトユニット押圧アーム６１の旋回によって、駆動されるドラフトローラ６０ａに圧着させることまたはドラフトローラ６０ａから離すことができる。ドラフトユニット押圧アーム６１は、機械式、空気力式または液圧式に移動させることができる。
【００６０】
ドラフトされた粗糸４０ｂの強度を高めるために、かつ装置１において実施されるプロセスの故障防止性を高めるために、粗糸４０ａには本発明によれば少なくとも１つの補助糸５０が供給される。補助糸５０は、典型的には複数の供給ボビン５２を有する補助糸供給ユニット５によって準備される。
【００６１】
補助糸供給ユニット５は、図示の実施形態では、ハウジング８を有しており、このハウジング８は、少なくとも１つの補助糸５０を貯える供給ボビン５２を取り囲んでいる。補助糸供給ユニット５のハウジング８は、少なくとも１つの開口８１を有しており、この開口８１を通して補助糸５０は、補助糸５０の補助糸搬送方向Ｂにおいて補助糸供給ユニット５の下流側に配置された少なくとも１つの補助糸ニップローラ対５１に供給される。本発明に係る装置１の択一的な変化形態では、ハウジング８は複数の開口８１を有していてもよく、これらの開口８１を通して複数の補助糸５０を絡ませることなしにハウジング８から導出することができる。
【００６２】
ボビン５２から引き出されかつ開口８１を通して補助糸供給ユニット５のハウジング８から搬出された補助糸５０は、補助糸ニップローラ対５１を用いて丁寧にかつ所望の糸張力で、ドラフトされたもしくは部分ドラフトされた粗糸４０ｂに供給される。
【００６３】
図１に示された実施形態において、ドラフトされた粗糸４０ｂへの補助糸５０の供給は、ドラフト装置６における粗糸４０ａのドラフト中に行われる。このとき補助糸５０は、特に好ましくは、中間ローラ対６０２と出口ローラ対６０３との間において、ドラフト装置６に、ひいては粗糸４０ｂに供給される。好ましくは、補助糸５０はこのとき、出口ローラ対６０３によって引き出され、かつドラフトされたもしくは部分ドラフトされた粗糸４０ｂと一緒に、粗糸搬送方向Ａにおいてドラフト装置の下流側に配置された紡績ノズル装置７０の方向に搬送される。このとき最適には、補助糸ニップローラ対５１の回転速度は、出口ローラ対６０３の回転速度に合わせることができる。
【００６４】
本発明に係る装置１の、図示されていない別の実施形態では、補助糸５０を、まだドラフトされていない粗糸４０ａにドラフト装置６の通過前に供給すること、またはドラフトされた粗糸４０ｂにドラフト装置６からの進出後に初めて供給することが可能である。
【００６５】
補助糸５０をドラフト装置６に供給する補助糸ニップローラ対５１を用いた、補助糸５０の張力の調節によって、製造された完成糸４０ｄおよび完成糸４０ｄから製造されたニットウェアの柔軟性に大きな影響を及ぼすことができる。それというのは、補助糸５０の糸張力は、紡績ノズル装置７０内においておよび紡績ノズル装置７０の後ろで、特に、ドラフトされた粗糸４０ｂの多くの繊維が補助糸５０に巻き付き、かつ補助糸５０に固定されたままになることに関与するからである。図１の実施形態では、補助糸５０は２ｃＮ未満の糸張力でドラフト装置６に供給される。それというのは、この小さな糸張力の場合に、ドラフトされた粗糸４０ｂの特に多くの繊維が、補助糸５０に巻き付き、かつ完成糸４０ｄの、ひいてはニットウェアの特に高い柔軟性が生ぜしめられるからである。
【００６６】
さらに補助糸ニップローラ対５１を用いて補助糸５０を小さな張力で搬送することによって、補助糸５０の裂断、ひいては不所望のプロセス中断をも阻止することができる。
【００６７】
図１に示された実施形態において本発明に係る装置１は、単に１つの補助糸ニップローラ対５１を有しており、しかしながらまた本発明に係る装置１は、別の変化形態において、補助糸搬送方向Ｂにおいて相前後して配置された複数の補助糸ニップローラ対５１を有することもできる。１つの装置１において複数の補助糸ニップローラ対５１を使用することは、特に補助糸供給ユニット５からドラフト装置６への補助糸５０のさらなる搬送路において、有利であることが判明している。
【００６８】
ドラフト装置６から進出するドラフトされた粗糸４０ｂは、供給された少なくとも１つの補助糸５０と一緒に、粗糸搬送方向Ａにおいてドラフト装置６に続く紡績ノズル装置７０に供給される。紡績ノズル装置７０において、補助糸５０を含むドラフトされた粗糸４０ｂは、紡績ノズル装置７０から進出する空気噴流を用いて撚られ、その結果いわゆる仮撚りが形成される。
【００６９】
図１の実施形態において紡績ノズル装置７０は、粗糸搬送方向Ａにおいて相前後して配置された２つの空気渦動ノズル７０ａ，７０ｂを有している。両方の空気渦動ノズル７０ａ，７０ｂにおいて生ぜしめされた空気流は、互いに逆向きの回転方向を有している。ドラフト装置６の下流側に配置された空気渦動ノズル７０ａ、いわゆるインジェクタノズルは、ドラフトされた粗糸４０ｂの繊維材料を回転させて解し（Aufdrehen）、これによってドラフトされた粗糸４０ｂにおける縁部繊維が開繊（Aufspreizen）される。これらの開繊された縁部繊維は、第１の空気渦動ノズル７０ａの下流側に配置された第２の空気渦動ノズル７０ｂ、いわゆる加撚ノズルの回転形成によって、粗糸４０ａの繊維芯の周りおよび／または補助糸５０の周りに巻き付けられ、これによって仮撚りが形成される。空気渦動ノズル７０ａ，７０ｂの回転速度、およびそれぞれの空気渦動ノズル７０ａ，７０ｂによって生ぜしめられた空気流は、編機２において調節すべき編成速度および相応の粗糸搬送速度に関連して選択することができる。さらにドラフト装置６からの紡績ノズル装置７０の間隔、および空気渦動ノズル７０ａ，７０ｂ相互の間隔も、使用例に応じて選択することができる。
【００７０】
ドラフト装置６によってドラフトされ、少なくとも１つの補助糸５０を含みかつ紡績ノズル装置７０において強化された粗糸４０ｂは、粗糸４０ａの搬送方向Ａにおいて紡績ノズル装置７０の下流側に配置された完成糸ニップローラ対７１によって引き出される。完成糸ニップローラ対７１は、典型的に、駆動されるニップローラ７１ａと、駆動されるニップローラ７１ａに圧着された駆動されないニップローラ７１ｂとを有している。同様に完成糸ニップローラ対７１は、本発明に係る装置１の択一的な変化形態において、互いに対して押圧された２つの駆動されるニップローラ７１ａを有していてもよい。完成糸ニップローラ対７１は、編機２への糸供給の技術的な系からの、粗糸ドラフト兼強化ユニット３の技術的な系の速度連結（速度同期）の解除を可能にする。さらに、完成糸ニップローラ対７１によって実現されたニップ箇所は、完成糸ニップローラ対７１から進出するドラフトされた、補助糸５０を有する強化された粗糸４０ｃの、編機２の作業平面への変向を可能にする。
【００７１】
図２には、本発明に係る装置１の１実施形態の補助糸ニップローラ対５１が概略的に側面図で示されている。図２において図１におけると同じ符号で示されたエレメントは、図１に示したエレメントに相当しているので、ここでは、これらのエレメントについては上の記載を参照するものとする。
【００７２】
図２に示された実施形態において、補助糸供給ユニット５において貯えられた補助糸５０は、補助糸搬送管５３を用いて補助糸ニップローラ対５１に供給され、これによって搬送中における補助糸５０の破損を十分に阻止することができる。このとき補助糸搬送管５３の形状、位置および寸法は、使用例に応じて選択することができる。
【００７３】
補助糸搬送管５３から進出する補助糸５０は、補助糸搬送方向Ｂにおいて下流側に配置された補助糸ニップローラ対５１に供給される前に、補助糸搬送管５３と補助糸ニップローラ対５１との間に配置された補助糸ガイド装置５６を通して案内される。補助糸ガイド装置５６は、補助糸綾振り装置５７の一部であって、補助糸綾振り装置５７によって補助糸５０は、補助糸搬送方向Ｂに対して垂直に横方向に往復動させられ、これによって補助糸５０が、補助糸ニップローラ対５１の補助糸ニップローラ５１ａ，５１ｂの同じ接触面と常に接触することはなくなる。これによって使用される補助糸ニップローラ５１ａ，５１ｂの収縮を回避することができる。
【００７４】
補助糸ニップローラ対５１は、好ましくは、図２に示されているように、互いに向かい合って位置していて互いに逆向きに回転する互いに圧着可能な２つの補助糸ニップローラ５１ａ，５１ｂを有している。図示の実施形態では、両方の補助糸ニップローラのうちの第１の補助糸ニップローラ５１ａは、装置１において固定に取り付けられており、これに対して第２の補助糸ニップローラ５１ｂは、本発明に係る装置１において、この第２の補助糸ニップローラ５１ｂが、不動に配置された第１の補助糸ニップローラ５１ａに圧着可能であり、かつ第１の補助糸ニップローラ５１ａから再び解離可能であるように設けられている。図２の実施形態に相応して、そのために例えばばねによって作動させられる圧着装置５４を使用することができ、この圧着装置５４によって第２の補助糸ニップローラ５１ｂは、第１の補助糸ニップローラ５１ａに圧着可能である。本発明に係る装置１の択一的な実施形態では、圧着装置５４はしかしながらまた他の構成を有していてもよく、機械式の作動の他に、液圧式または空気力式に位置決めされてもよい。
【００７５】
補助糸ニップローラ５１ａ，５１ｂの大きさ、寸法、形状および特性は、使用例に応じて選択することができる。図示の実施形態では、第１の補助糸ニップローラ５１ａは、異形成形されており、かつ第２の補助糸ニップローラ５１ｂは、ゴム引きされている。補助糸ニップローラ５１ａ，５１ｂのこのような構成は、補助糸ニップローラ５１ａ，５１ｂの間における中間室からの補助糸５０の滑り出しを阻止し、かつさらに補助糸５０の丁寧な搬送を可能にする。第２の補助糸ニップローラ５１ｂは、完全にゴムから形成されていても、または単にゴム被覆層を有していてもよい。異形成形された補助糸ニップローラ５１ａの異形成形部および材料は、この補助糸ニップローラ５１ａの使用条件に関連して自由に選択可能である。例えば、異形成形された補助糸ニップローラ５１ａはジグザグパターンまたは補助糸搬送方向Ｂとは異なった方向に形成された溝を有することが可能である。
【００７６】
図２に示された実施形態において、第１の補助糸ニップローラ５１ａは駆動され、このとき第１の補助糸ニップローラ５１ａの回転は、駆動されない第２の補助糸ニップローラ５１ｂに伝達される。相応に補助糸ニップローラ５１ａ，５１ｂは互いに逆向きの回転運動Ｃ，Ｃ’を実施する。しかしながらまた本発明に係る装置１の別の実施形態では、両方の補助糸ニップローラ５１ａ，５１ｂを駆動させることも可能であり、このとき両方の補助糸ニップローラ５１ａ，５１ｂは、互いに無関係に駆動されても、または互いに連結されているかまたは連結可能である。このとき重要なことは単に、両方の補助糸ニップローラ５１ａ，５１ｂが互いに逆向きの回転方向で作動させられることである。
【００７７】
補助糸ニップローラ対５１の下流側には、図２の実施形態では変向装置５５が配置されており、この変向装置５５は補助糸５０をドラフト装置６の方向に変向する。変向装置５５は、補助糸５０の急激な変向を、ひいては補助糸５０の損傷を阻止し、これによって本発明に係る装置１のプロセス確実性を高めることができる。さらに変向装置５５は、図示の実施形態では光学式の糸センサとして形成されており、この糸センサは、補助糸ニップローラ対５１の下流側における補助糸５０の存在を保証するのに役立つ。補助糸検出は、この箇所において光学式に行われ、機械式には行われない。これによって補助糸５０の糸張力の張力レベルが、補助糸ニップローラ対５１を補助糸５０が通過した後で再び上昇することを回避することができる。
【００７８】
補助糸ニップローラ対５１から進出しかつ変向装置５５によって変向された補助糸５０は、図示の実施形態では次いで、別の補助糸搬送管５３’を通して、ドラフト装置６または紡績ノズル装置７０に搬送され、これによって、補助糸５０の特に丁寧でかつプロセス確実な搬送が可能になる。
【００７９】
図３には、図２において示された補助糸ニップローラ対５１が、正面図で概略的に示されており、このとき先行する図面におけると同じ符号は、同じエレメントを示すので、これらのエレメントについては、ここにおいても、上に述べた記載を参照するものとする。
【００８０】
図３には、補助糸搬送管５３、補助糸ニップローラ５１ａ，５１ｂおよび変向装置５５を通して補助糸搬送管５３’に案内される補助糸５０が示されている。
【００８１】
さらに図３からは、補助糸５０が、補助糸ガイド装置５６を有する補助糸綾振り装置５７を通って走行することも分かる。補助糸搬送方向Ｂに対して横方向の綾振り方向Ｄにおける補助糸綾振り装置５７の運動によって、補助糸ニップローラ５１ａ，５１ｂの表面と補助糸５０との接触面を変化させることができ、これによって補助糸ニップローラ５１ａ，５１ｂの収縮、および補助糸ニップローラ５１ａ，５１ｂの極めて急激な摩耗を回避することができる。特に補助糸綾振り装置５７の補助糸ガイド装置５６を通して補助糸５０を通過させることは、補助糸ニップローラ５１ａ，５１ｂの表面に沿った補助糸５０の運動に関して特に好適であることが判明している。それというのは、補助糸５０を、滑ることのないようにコントロールして、補助糸綾振り装置５７を用いて運動させることができるからである。
【００８２】
補助糸ニップローラ５１ａ，５１ｂの回転数および／または補助糸綾振り装置５７を用いた補助糸５０の運動は、制御装置９０を介して調節可能である。制御装置９０を用いて、また完成糸ニップローラ対７１の回転数および／または紡績ノズル７０ａ，７０ｂから流出する圧縮空気の圧力および／またはドラフト装置６のローラの回転数および／または編機２の編成速度をも調節することができる。
【００８３】
補助糸ガイド装置５６は、最も単純な実施形態では、例えば軸として形成された補助糸綾振り装置５７における孔として形成されており、しかしながらまた本発明に係る装置１の別の実施形態では、他の形態で形成されていてもよい。
【図１】
2018538452.tif 000003
【図２】
2018538452.tif 000004
【図３】
2018538452.tif 000005
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
ニットウェアを製造する装置（１）であって、編機（２）と粗糸ドラフト兼強化ユニット（３）とを備えており、該粗糸ドラフト兼強化ユニット（３）は、少なくとも１つの粗糸（４０ａ）を備えた粗糸供給ユニット（４）と、少なくとも１つの補助糸（５０）を備えた補助糸供給ユニット（５）と、前記粗糸（４０ａ）を供給する前記粗糸供給ユニット（４）および前記補助糸（５０）を供給する前記補助糸供給ユニット（５）に連結されたドラフト装置（６）であって、前記粗糸（４０ａ）の粗糸搬送方向（Ａ）において相前後して配置されたドラフトローラ対（６０１，６０２，６０３）を有するドラフト装置（６）と、当該装置（１）の粗糸搬送方向（Ａ）において前記ドラフト装置（６）の下流側に配置されていて繊維強化区間（７）を圧縮空気供給によって形成する紡績ノズル装置（７０）と、前記粗糸搬送方向（Ａ）において前記紡績ノズル装置（７０）の下流側に配置されていて前記繊維強化区間（７）を画定する、互いに逆向きに回転可能な完成糸ニップローラ対（７１）と、を有している装置（１）において、
前記補助糸供給ユニット（５）と前記ドラフト装置（６）との間に、互いに逆向きに回転可能で回転数調節可能な少なくとも１つの補助糸ニップローラ対（５１）が設けられており、該補助糸ニップローラ対（５１）は、互いに圧着されたまたは圧着可能な２つの補助糸ニップローラ（５１ａ，５１ｂ）を有しており、前記補助糸ニップローラ対（５１）の前記補助糸ニップローラ（５１ａ，５１ｂ）の間において、前記補助糸（５０）は、前記ドラフト装置（６）の方向に案内されており、前記補助糸ニップローラ対（５１）は、前記少なくとも１つの補助糸（５０）のための、該補助糸（５０）を挟む通過部を形成しており、かつ前記補助糸ニップローラ対（５１）の前記補助糸ニップローラ（５１ａ，５１ｂ）の回転数は、前記補助糸ニップローラ対（５１）から進出する前記補助糸（５０）の糸張力が２ｃＮ未満であるように調節可能であることを特徴とする、ニットウェアを製造する装置。
【請求項２】
前記補助糸ニップローラ（５１ａ，５１ｂ）のうちの少なくとも１つの補助糸ニップローラの回転数は、制御装置を介して調節可能であり、該制御装置によって、前記ドラフト装置（６）のドラフトローラ（６０ａ，６０ｂ）の回転数も調節可能である、請求項１記載の装置。
【請求項３】
前記補助糸ニップローラ（５１ａ，５１ｂ）は、異形成形された第１の補助糸ニップローラ（５１ａ）と、ゴム引きされた第２の補助糸ニップローラ（５１ｂ）とを含んでいる、請求項１または２記載の装置。
【請求項４】
当該装置（１）の前記粗糸搬送方向において、前記少なくとも１つの補助糸ニップローラ対（５１）の上流側に補助糸綾振り装置（５７）が設けられている、請求項１から３までの少なくともいずれか１項記載の装置。
【請求項５】
補助糸搬送方向（Ｂ）において前記補助糸ニップローラ対（５１）の下流側に、少なくとも１つの光学式の糸センサ（５５）が配設されている、請求項１から４までの少なくともいずれか１項記載の装置。
【請求項６】
前記補助糸供給ユニット（５）は、前記補助糸（５０）を導出する少なくとも１つの開口（８１）を備えた閉鎖されたハウジング（８）を有している、請求項１から５までの少なくともいずれか１項記載の装置。
【請求項７】
ニットウェアを製造する方法であって、粗糸供給ユニット（４）によって少なくとも１つの粗糸（４０ａ）をドラフト装置（６）に供給し、かつ補助糸供給ユニット（５）によって少なくとも１つの補助糸（５０）をドラフト装置（６）に供給し、該ドラフト装置（６）は、前記粗糸（４０ａ）の粗糸搬送方向（Ａ）において相前後して配置されたドラフトローラ対（６０１，６０２，６０３）を有しており、前記ドラフト装置（６）から進出する、前記補助糸（５０）を含むドラフトされた粗糸（４０ｂ）に、繊維強化区間（７）において紡績ノズル装置（７０）によって圧縮空気を供給し、かつこれによって前記粗糸（４０ｂ）を強化し、前記繊維強化区間（７）は、前記補助糸（５０）を含むドラフトされ強化された粗糸（４０ｃ）を挟んで案内する互いに逆向きに回転する完成糸ニップローラ対（７１）によって画定されており、前記完成糸ニップローラ対（７１）から進出する完成糸（４０ｄ）を、編機（２）に供給する、方法において、
前記補助糸（５０）を、前記補助糸供給ユニット（５）と前記ドラフト装置（６）との間において、互いに逆向きに回転する回転数調節可能な少なくとも１つの補助糸ニップローラ対（５１）を通して、挟みながら前記ドラフト装置（６）の方向において案内し、該補助糸ニップローラ対（５１）は、互いに圧着されたまたは圧着可能な２つの補助糸ニップローラ（５１ａ，５１ｂ）を有しており、前記補助糸ニップローラ対（５１）の前記補助糸ニップローラ（５１ａ，５１ｂ）の回転数を、前記補助糸ニップローラ対（５１）から進出する前記補助糸（５０）の糸張力が２ｃＮ未満であるように調節することを特徴とする、ニットウェアを製造する方法。
【請求項８】
前記補助糸（５０）を、前記補助糸ニップローラ（５１ａ，５１ｂ）の軸線方向において、綾振りしながら前記補助糸ニップローラ対（５１）に供給する、請求項７記載の方法。
【請求項９】
前記補助糸（５０）の前記糸張力を、前記補助糸ニップローラ対（５１）と前記ドラフト装置（６）との間において光学式に検出する、請求項７または８記載の方法。
【国際調査報告】
2018538452.tif 000006
2018538452.tif 000007
2018538452.tif 000008
2018538452.tif 000009
2018538452.tif 000010
2018538452.tif 000011